(57)【要約】【課題】塗布体を容易に付替え可能な塗布容器を提供する。【解決手段】塗布容器２０は、容器３０と塗布具４０とを有し、容器３０は、口部３０ａを有し、塗布具４０は、塗布体４１と、塗布体４１に連なる軸体４２と、口部３０ａに螺合可能なキャップ４３と、を有し、軸体４２は、キャップ４３と口部３０ａとの螺合の巻き方向と逆向きの巻き方向によってキャップ４３と螺合可能な逆向き螺合部４４を有する。【選択図】図２
2020069371.tif 000002
【特許請求の範囲】
【請求項１】
容器と、
塗布具と、を有し、
前記容器は、内容液を収容する収容空間に連なる筒状の口部を有し、
前記塗布具は、塗布体と、前記塗布体に連なる軸体と、前記口部に螺合可能なキャップと、を有し、
前記軸体は、前記キャップと前記口部との螺合の巻き方向と逆向きの巻き方向によって前記キャップと螺合可能な逆向き螺合部を有する、
塗布容器。
【請求項２】
前記逆向き螺合部の巻き方向は、左ねじである、
請求項１に記載の塗布容器。
【請求項３】
前記逆向き螺合部の条数は、２条以上であり、
前記塗布具は、前記逆向き螺合部又は前記逆向き螺合部が螺合する逆向き被螺合部をこれらの螺合に伴って乗越え可能な乗越え凸部を有する、
請求項１又は２に記載の塗布容器。
【請求項４】
前記軸体には、軸方向に延在する複数の突条が全周に亘って間欠状に設けられており、
前記キャップには、前記逆向き螺合部の螺合に伴って前記複数の突条と接する接触面が設けられている、
請求項１〜３のいずれか一項に記載の塗布容器。
【請求項５】
前記内容液は化粧料である、
請求項１〜４のいずれか一項に記載の塗布容器。
【請求項６】
前記キャップは、前記口部及び前記逆向き螺合部にそれぞれ螺合可能であるとともに上部に開口を区画する下キャップと、前記下キャップの前記開口を開閉可能な上キャップと、を有し、
前記軸体は、前記逆向き螺合部が前記下キャップに螺合するとともに前記上キャップが前記下キャップの前記開口を開いた状態において前記開口よりも上方に突出し、回転操作を受ける操作軸を有する、
請求項１〜５のいずれか一項に記載の塗布容器。
【請求項７】
前記上キャップは、前記軸体の前記逆向き螺合部が前記下キャップに螺合するとともに前記上キャップが前記下キャップの前記開口を閉じた状態において、前記逆向き螺合部が螺脱する方向の前記軸体の回転を規制するように、前記操作軸と係合可能な係合部を有する、請求項６に記載の塗布容器。
【請求項８】
前記上キャップは、前記下キャップにヒンジを介して連なるとともに、前記ヒンジを中心とする回動によって前記下キャップの前記開口を開閉可能である、請求項６又は７に記載の塗布容器。
【請求項９】
前記上キャップは、前記操作軸と嵌合する嵌合部を有するとともに前記下キャップに螺合可能であり、
前記嵌合部は、前記軸体の前記逆向き螺合部が前記下キャップに螺合した状態において、前記上キャップの螺脱に伴う前記下キャップに対する相対的な前記上キャップの上昇により、前記操作軸との嵌合が解除される、請求項６に記載の塗布容器。
【発明の詳細な説明】
【技術分野】
【０００１】
本発明は、付替え可能な塗布体を備えた塗布容器に関する。
【背景技術】
【０００２】
マスカラ、マニキュア、染毛剤などの化粧料に代表される内容液を収容する容器と、容器の口部に着脱可能に取付けられるとともに内容液の塗布体を備える塗布具と、を有する塗布容器が知られている（例えば、特許文献１参照）。
【先行技術文献】
【特許文献】
【０００３】
【特許文献１】特開２０１１−９２４０４号公報
【発明の概要】
【発明が解決しようとする課題】
【０００４】
このような塗布容器は、内容液の乾燥等によって塗布体が固まったりすると、本来の塗布機能を発揮できない。塗布体の洗浄には、洗うための場所と、洗浄液などが必要で、乾燥させたりする手間がかかる。洗浄後に塗布体の使用感が不十分となる場合もある。このため、塗布体を未使用のものと容易に付替えできれば都合がよい。
【０００５】
本発明の目的は、塗布体を容易に付替え可能な塗布容器を提供することにある。
【課題を解決するための手段】
【０００６】
本発明の一態様に係る塗布容器は、
容器と、
塗布具と、を有し、
前記容器は、内容液を収容する収容空間に連なる筒状の口部を有し、
前記塗布具は、塗布体と、前記塗布体に連なる軸体と、前記口部に螺合可能なキャップと、を有し、
前記軸体は、前記キャップと前記口部との螺合の巻き方向と逆向きの巻き方向によって前記キャップと螺合可能な逆向き螺合部を有する。
【０００７】
本発明に係る塗布容器は、前記逆向き螺合部の巻き方向が、左ねじであってもよい。
【０００８】
本発明に係る塗布容器は、
前記逆向き螺合部の条数が、２条以上であってもよく、
前記塗布具が、前記逆向き螺合部又は前記逆向き螺合部が螺合する逆向き被螺合部をこれらの螺合に伴って乗越え可能な乗越え凸部を有してもよい。
【０００９】
本発明に係る塗布容器は、
前記軸体に、軸方向に延在する複数の突条が全周に亘って間欠状に設けられていてもよく、
前記キャップに、前記逆向き螺合部の螺合に伴って前記複数の突条と接する接触面が設けられていてもよい。
【００１０】
本発明に係る塗布容器は、前記内容液が化粧料であってもよい。
【００１１】
本発明に係る塗布容器は、
前記キャップが、前記口部及び前記逆向き螺合部にそれぞれ螺合可能であるとともに上部に開口を区画する下キャップと、前記下キャップの前記開口を開閉可能な上キャップと、を有してもよく、
前記軸体が、前記逆向き螺合部が前記下キャップに螺合するとともに前記上キャップが前記下キャップの前記開口を開いた状態において前記開口よりも上方に突出し、回転操作を受ける操作軸を有してもよい。
【００１２】
本発明に係る塗布容器は、前記上キャップが、前記軸体の前記逆向き螺合部が前記下キャップに螺合するとともに前記上キャップが前記下キャップの前記開口を閉じた状態において、前記逆向き螺合部が螺脱する方向の前記軸体の回転を規制するように、前記操作軸と係合可能な係合部を有してもよい。
【００１３】
本発明に係る塗布容器は、前記上キャップが、前記下キャップにヒンジを介して連なるとともに、前記ヒンジを中心とする回動によって前記下キャップの前記開口を開閉可能であってもよい。
【００１４】
本発明に係る塗布容器は、
前記上キャップが、前記操作軸と嵌合する嵌合部を有するとともに前記下キャップに螺合可能であってもよく、
前記嵌合部が、前記軸体の前記逆向き螺合部が前記下キャップに螺合した状態において、前記上キャップの螺脱に伴う前記下キャップに対する相対的な前記上キャップの上昇により、前記操作軸との嵌合が解除されてもよい。
【発明の効果】
【００１５】
本発明によれば、塗布体を容易に付替え可能な塗布容器を提供することができる。
【図面の簡単な説明】
【００１６】
【図１】本発明の第１実施形態に係る塗布容器の側面図である。
【図２】図１に示す塗布容器の縦断面図である。
【図３】図２に示すキャップの縦断面図である。
【図４】図３に示すキャップの逆向き螺合部の詳細を説明するための縦断面図である。
【図５】図２に示す軸体の上面図である。
【図６】本発明の第１実施形態に係る付替えセットの外観図である。
【図７】図６に示す包装体の塗布体収容部を用いて塗布具のキャップから塗布軸部材を取外す様子を示す外観図である。
【図８】本発明の第２実施形態に係る塗布容器の縦断面図である。
【図９】図８のＡ−Ａ断面図である。
【図１０】図８に示す軸体の上面図である。
【図１１】図８に示す状態から塗布具を取外し、上キャップを開いたときの状態を示す縦断面図である。
【図１２】本発明の第３実施形態に係る塗布容器の縦断面図である。
【図１３】本発明の第４実施形態に係る塗布容器の縦断面図である。
【発明を実施するための形態】
【００１７】
以下、図面を参照して、本発明の実施形態に係る塗布容器について詳細に例示説明する。
【００１８】
まず、図１〜図７を参照して、本発明の第１実施形態に係る塗布容器２０について詳細に例示説明する。図１、図６に示すように、本実施形態に係る塗布容器２０は、付替えセット２とともに塗布容器セット１を構成している。塗布容器２０は、１つ又は複数の付替えセット２とともに流通、販売等されてもよいし、付替えセット２と別々に流通、販売等されてもよい。図１、図２に示すように、塗布容器２０は、容器３０と塗布具４０とを有している。容器３０は、容器本体３１と扱き中栓３２とを有している。塗布具４０は、塗布体４１と塗布体４１に連なる軸体４２とを備える塗布軸部材７０と、キャップ４３と、を有している。
【００１９】
軸体４２は、先軸５１と基軸６０とで構成されている。先軸５１は塗布体４１と連なっている。先軸５１の基端部は、基軸６０の先端部である基軸先端部６４に嵌合によって固定されている。なお、先軸５１の基端部を基軸先端部６４に固定する手段は、嵌合に替えて又は加えて、接着又は溶着などでもよく、その固定のための構造も適宜変更が可能である。なお、先軸５１と基軸６０とを一体物で形成してもよい。
【００２０】
図６に示すように、付替えセット２は、塗布体４１と塗布体４１に連なる軸体４２とを備える塗布軸部材７０と、塗布軸部材７０を収容する包装体８０と、を有している。付替えセット２の塗布軸部材７０は、本実施形態では塗布容器２０の塗布軸部材７０と同一の構成を有している。しかし、付替えセット２の塗布軸部材７０は、塗布容器２０の塗布軸部材７０と付替えが可能であれば、例えば、塗布容器２０の塗布体４１とは異なる形状や材質等の塗布体４１を有していてもよい。
【００２１】
図２に示すように、容器本体３１は、中心軸線Ｏを中心とする円筒状の本体口部３１ａと、本体口部３１ａの下端部に本体口部３１ａから拡径する段部３１ｂを介して一体に連なるとともに下方に向けて徐々に縮径する有底円筒状の胴部３１ｃと、を有している。扱き中栓３２は、本体口部３１ａの上端面に当接するとともに中心軸線Ｏを中心とする円環状をなすフランジ３２ａと、フランジ３２ａの内周縁部から垂下する円筒状の内筒３２ｂと、を備えている。内筒３２ｂの内周面には、中心軸線Ｏを中心とする円環状の内向きフランジ状をなす扱き壁３２ｃの外周縁部が一体に連なっている。また、内筒３２ｂの外周面における下部には、径方向外側に突出するとともに本体口部３１ａの下端部に係止する係止凸部３２ｄが設けられている。本実施形態では、本体口部３１ａと扱き中栓３２とで、容器３０の筒状の口部３０ａが構成されている。また、容器３０の内側には、口部３０ａに連なるとともに内容液（不図示）を収容する収容空間Ｓが区画されている。
【００２２】
なお、本実施形態において、塗布容器２０について上方とは、塗布具４０が容器３０に取付けられた状態で、口部３０ａの軸方向（中心軸線Ｏに沿う方向）に沿って胴部３１ｃから口部３０ａに向かう方向（図２における上方）を意味し、下方とはその反対方向を意味する。また、中心軸線Ｏを含む断面を縦断面といい、中心軸線Ｏと垂直な断面を横断面という。
【００２３】
内容液は、マスカラ、マニキュア、染毛剤などの化粧料である。したがって、本実施形態では、塗布容器２０は、化粧料塗布容器である。しかし、内容液は、化粧料に限られない。
【００２４】
本体口部３１ａの外周面には、塗布具４０を口部３０ａに着脱可能に取付けるためにキャップ４３と螺合可能な螺合部３０ｂが設けられている。螺合部３０ｂの巻き方向は、右ねじである。螺合部３０ｂは、ねじ山で構成されている。
【００２５】
キャップ４３は、上方に向けて徐々に縮径する有頂円筒状をなしており、その内周面における下部には、口部３０ａの螺合部３０ｂと螺合可能な被螺合部４３ａが設けられている。被螺合部４３ａは、ねじ山で構成されている。本実施形態では、螺合部３０ｂも被螺合部４３ａもねじ山（すなわち、螺旋状の突条。螺旋方向の長さは問わない。）で構成されているが、いずれか一方を突起（例えば切頭円錐状のもの）で構成することも可能である。また、本実施形態では、口部３０ａの外周面に螺合部３０ｂを設け、キャップ４３の内周面に被螺合部４３ａを設けているが、その逆に、口部３０ａの内周面に螺合部３０ｂを設け、キャップ４３の外周面に被螺合部４３ａを設ける構成とすることも可能である。
【００２６】
基軸６０は、中心軸線Ｏを中心とする有底円筒状の取付け筒６１と、取付け筒６１の底部から垂下するとともに取付け筒６１と同心の円柱状をなすロッド６２と、を有している。取付け筒６１の外周面は、キャップ４３の内周面における被螺合部４３ａより上方の部分に螺合している。この螺合により、基軸６０は、キャップ４３に保持されている。
【００２７】
より具体的に、取付け筒６１の外周面には、キャップ４３と口部３０ａとの螺合の巻き方向と逆向きの巻き方向によってキャップ４３と螺合可能な逆向き螺合部４４が設けられている。本実施形態では、逆向き螺合部４４の巻き方向は左ねじである。なお、口部３０ａの螺合部３０ｂの巻き方向を左ねじとし、逆向き螺合部４４の巻き方向を右ねじとすることも可能である。しかし、通常の使用時に用いられる口部３０ａの螺合部３０ｂを、より一般的な右ねじとすることが好ましい。
【００２８】
キャップ４３の内周面における被螺合部４３ａより上方の部分には、逆向き螺合部４４が螺合する逆向き被螺合部４５が設けられている。本実施形態では、逆向き螺合部４４も逆向き被螺合部４５もねじ山で構成されている。しかし、逆向き螺合部４４と逆向き被螺合部４５とのいずれか一方を突起で構成することも可能である。また、本実施形態では、取付け筒６１の外周面に逆向き螺合部４４を設け、キャップ４３の内周面に逆向き被螺合部４５を設けているが、その逆に、取付け筒６１の内周面に逆向き螺合部４４を設け、キャップ４３の外周面（例えば、キャップ４３の頂壁から垂下する円筒状の筒壁を設け、この筒壁の外周面）に逆向き被螺合部４５を設ける構成とすることも可能である。
【００２９】
本実施形態では、逆向き螺合部４４の条数は、４条に設定されている。なお、逆向き螺合部４４の条数は、１条としてもよいし、２条以上の任意の条数であってもよい。逆向き螺合部４４の条数を２条以上とすることで、少ない回転操作で簡単な着脱を可能とすることができる。なお、図２等においては、４条の逆向き螺合部４４及び逆向き被螺合部４５のうち、１条のみに符号を付している。
【００３０】
また、本実施形態では、図３〜図５に示すように、逆向き螺合部４４のねじ山の長さが逆向き被螺合部４５のねじ山の長さより短く設定されており、逆向き被螺合部４５のねじ山の上面には、逆向き螺合部４４を、逆向き螺合部４４と逆向き被螺合部４５との螺合に伴って、乗越え可能な乗越え凸部４６が設けられている。なお、図４には、理解し易くするために、１条分のみの逆向き螺合部４４、逆向き被螺合部４５及び乗越え凸部４６を示し、残りの３条分については図示を省略している。乗越え凸部４６は、逆向き螺合部４４又は逆向き被螺合部４５をこれらの螺合に伴って弾性変形等により乗越え可能であれば、塗布具４０の任意の部分に設けることができる。
【００３１】
例えば、乗越え凸部４６を逆向き被螺合部４５のねじ山の下面に設けてもよいし、逆向き被螺合部４５のねじ山とねじ山との間の部分（つまり、ねじ溝）に設けてもよい。逆向き螺合部４４のねじ山の長さと逆向き被螺合部４５のねじ山の長さとを入れ替えた場合には、乗越え凸部４６をキャップ４３ではなく取付け筒６１に設けることができる。このような乗越え凸部４６を設けることにより、逆向き螺合部４４による着脱時にクリック感を生じさせることができ、また、逆向き螺合部４４の条数が２条以上の場合でも簡単に外れないようにすることができる。
【００３２】
図２、図５に示すように、取付け筒６１の外周面における逆向き螺合部４４より上方の部分には、軸方向に延在する複数の突条４７が全周に亘って間欠状に設けられている。なお、図２、図５においては、複数の突条４７のうちの１つのみに符号を付している。また、図２、図３に示すように、キャップ４３の内周面における逆向き被螺合部４５より上方の部分には、逆向き螺合部４４の螺合に伴って複数の突条４７と接する横断面円形状の接触面４８が設けられている。このような複数の突条４７及び接触面４８を設けることにより、取付け筒６１、ひいては塗布軸部材７０をキャップ４３に安定して保持することができるとともに、塗布軸部材７０をキャップ４３に着脱させる際の摺動抵抗を低減し、小さな操作力での着脱を可能にすることができる。
【００３３】
図２に示すように、ロッド６２の外周面には、円環フランジ状の環状凸部６３が一体に連なっている。環状凸部６３は、塗布具４０を口部３０ａに取付けた状態で扱き壁３２ｃの上面に接するとともに内筒３２ｂの内周面に接するように設けられている。
【００３４】
ロッド６２の先端部は、基軸６０の先端部でもある基軸先端部６４となっている。基軸先端部６４は、ロッド６２における基軸先端部６４以外の部分より縮径する略円柱状をなしている。
【００３５】
先軸５１は、基軸先端部６４を収容する円筒状をなす基端部を有している。先軸５１における基端部より下方の部分は、先端部（下端部）が下方に向けて徐々に縮径する円柱状をなしている。先軸５１の外周面、つまり軸体４２の下端部における外周面には、内容液を塗布する塗布体４１が連なっている。塗布体４１は、本実施形態ではブラシで構成されている。しかし、塗布体４１は、ブラシで構成されるものに限らず、例えば、櫛歯やスポンジ等の含浸体で構成されてもよい。塗布体４１の配置も適宜変更が可能であり、例えば、先軸５１の下端面に筆状等の塗布体４１を設けてもよい。
【００３６】
容器本体３１は、合成樹脂のブロー成形によって形成されている。扱き中栓３２、キャップ４３、基軸６０及び先軸５１は、合成樹脂の射出成形によって形成されている。しかし、これらの材料及び製法は適宜変更が可能である。
【００３７】
図６に示すように、付替えセット２は、長方形の袋状をなす包装体８０の内部に、付替え用の塗布軸部材７０を収容している。包装体８０は、塗布軸部材７０の塗布体４１を含む部分を収容する塗布体収容部８１と、塗布軸部材７０の逆向き螺合部４４を含む部分を収容する逆向き螺合部収容部８２と、塗布体収容部８１からの逆向き螺合部収容部８２の除去を可能にする破断予定部８３と、を有している。破断予定部８３は、図６に示すような、包装体８０の幅方向に亘るミシン目などの弱化部で構成されてもよいし、切断の起点となる切り込みなどで構成されてもよい。
【００３８】
包装体８０は、本実施形態では、液体を通し難い液体不透過性を有している。また、包装体８０は、例えば、透明、半透明又は不透明の樹脂製（例えば二軸延伸ポリプロピレン製）等のフィルムで構成することが好ましい。
【００３９】
本実施形態に係る塗布容器セット１は、塗布体４１が内容物の乾燥により固化した場合など、その付替えが必要となったときに、塗布具４０全体ではなく、塗布軸部材７０のみを付替えることにより、塗布体４１の付替えを可能にすることができる。塗布軸部材７０の付替えは、例えば次の要領で行うことができる。
【００４０】
まず、使用者は、図６に示すように付替え用の塗布軸部材７０を収容した包装体８０から、逆向き螺合部収容部８２を破断予定部８３の破断によって塗布体収容部８１から除去することにより、塗布軸部材７０を取出すことができる。
【００４１】
次いで、使用者は、図２に示すように口部３０ａに取付けられた塗布具４０を、キャップ４３を把持し螺合部３０ｂと被螺合部４３ａとを螺脱させることにより、口部３０ａから取外すことができる。このとき、塗布軸部材７０は、螺合部３０ｂと逆向きの巻き方向である逆向き螺合部４４を介してキャップ４３に取付けられているので、口部３０ａからのキャップ４３の取外しに伴って塗布軸部材７０とキャップ４３との螺合が緩むことはない。したがって、塗布軸部材７０がキャップ４３に確実に保持された状態で、塗布具４０を口部３０ａから取外すことができる。
【００４２】
そして、使用者は、図７に示すように、上述した付替え用の塗布軸部材７０の取出しによって空になった包装体８０の塗布体収容部８１を、塗布具４０の塗布軸部材７０に下から被せ、塗布体収容部８１を介して塗布軸部材７０を把持した状態で、塗布軸部材７０の逆向き螺合部４４とキャップ４３の逆向き被螺合部４５との螺合を解除し、塗布軸部材７０をキャップ４３から取外すことができる。また、使用者は、この取外した塗布軸部材７０を、塗布体収容部８１を被せたままの状態で、周囲を汚すことなく廃棄することができる。
【００４３】
上記のように塗布軸部材７０を取外した後、使用者は、キャップ４３を把持したままで、取出しておいた付替え用の塗布軸部材７０をキャップ４３に取付け、塗布軸部材７０の付替えを完了させることができる。このように、使用者は、包装体８０を用いた簡単な操作により、手や周囲を内容液で汚すことなく塗布軸部材７０の付替えを行うことができる。
【００４４】
なお、上記の例では、包装体８０の塗布体収容部８１を用いて塗布軸部材７０をキャップ４３から取外すために、まず塗布軸部材７０を包装体８０から取出したが、他の例として、包装体８０の塗布体収容部８１を用いずに塗布軸部材７０をキャップ４３から取外してもよい。この場合には、逆向き螺合部収容部８２を破断予定部８３の破断によって塗布体収容部８１から除去することにより、逆向き螺合部４４を露出させ、塗布体４１を塗布体収容部８１の外部から把持してキャップ４３に取付けることができる。この場合、付替え用の塗布軸部材７０に手指が触れないので雑菌等が付着し難く、塗布軸部材７０及び収容空間Ｓの衛生状態を良好に維持することができる。
【００４５】
次に、図８〜図１１を参照して、本発明の第２実施形態に係る塗布容器２０について詳細に例示説明する。なお、図８〜図１１において、第１実施形態で示した部分に対応する部分には第１実施形態の場合と同一の符号を付している。
【００４６】
図８に示すように、本実施形態に係る塗布容器２０は、キャップ４３が下キャップ４３ｂと上キャップ４３ｃとを有している。下キャップ４３ｂは、上端に開口４３ｎを区画する円筒状をなしている。また、下キャップ４３ｂの内周面には、第１実施形態の場合と同様に配置された被螺合部４３ａ、逆向き被螺合部４５及び接触面４８が設けられている。
【００４７】
上キャップ４３ｃは、下キャップ４３ｂにヒンジ４３ｄを介して連なるとともに、図１１に示すように、ヒンジ４３ｄを中心とする回動によって下キャップ４３ｂの開口４３ｎを開閉可能な外壁４３ｇを有している。図８に示すように、外壁４３ｇは、上方に向けて徐々に縮径する有頂円筒状をなしている。なお、以下の説明において、上キャップ４３ｃについて上下方向とは、特に断らない限り、図８に示すような上キャップ４３ｃが下キャップ４３ｂの開口４３ｎを閉じた状態における上下方向を意味する。
【００４８】
上キャップ４３ｃの外壁４３ｇの下端は、下キャップ４３ｂの上端に形成された中心軸線Ｏを中心とする円環状段部と着脱可能に係合している。外壁４３ｇの下端における中心軸線Ｏを挟んでヒンジ４３ｄの反対に位置する部分には、径方向外側に突出する突片４３ｈが設けられている。したがって、突片４３ｈを押し上げることで、上キャップ４３ｃの外壁４３ｇの下端と下キャップ４３ｂの上端との係合を解除し、上キャップ４３ｃを開くことができる。
【００４９】
上キャップ４３ｃは、外壁４３ｇの頂部から垂下する一対の縦リブ４３ｆを有している。一対の縦リブ４３ｆは、互いに平行に延在する板状をなしており、幅方向の両端は外壁４３ｇの内周面に連なっている。また、一対の縦リブ４３ｆは、それぞれ、ヒンジ４３ｄの回動中心となる軸線に対して直交する平面上に延在している。
【００５０】
また、本実施形態に係る塗布容器２０は、軸体４２の基軸６０が操作軸４２ａを有している。操作軸４２ａは、基軸６０の有底筒状をなす取付け筒６１の底部から上方に延在するとともに、中心軸線Ｏを中心とする柱状をなしている。操作軸４２ａは、図１１に示すような逆向き螺合部４４が下キャップ４３ｂの逆向き被螺合部４５に螺合するとともに上キャップ４３ｃが下キャップ４３ｂの開口４３ｎを開いた状態（以下、付替え準備状態ともいう）において開口４３ｎよりも上方に突出し、回転操作を受ける四角柱状の把持部４２ｂを有している。なお、把持部４２ｂの形状は、四角柱状に限らず、適宜変更が可能である。
【００５１】
一対の縦リブ４３ｆは、図８に示すような軸体４２の逆向き螺合部４４が下キャップ４３ｂの逆向き被螺合部４５に螺合するとともに上キャップ４３ｃが下キャップ４３ｂの開口４３ｎを閉じた状態（以下、使用可能状態ともいう）において、逆向き螺合部４４が螺脱する方向の軸体４２の回転を規制するように、操作軸４２ａの把持部４２ｂと係合可能な係合部４３ｅを構成している。係合部４３ｅは、中心軸線Ｏを挟んで互いに対向する一対の縦リブ４３ｆの内面で構成されている。使用可能状態において軸体４２が下キャップ４３ｂに対して螺脱方向に回転すると、四角柱状の把持部４２ｂの角部が係合部４３ｅに当接し、さらなる軸体４２の回転を規制することができる。なお、係合部４３ｅを設けない構成としてもよい。
【００５２】
下キャップ４３ｂ、ヒンジ４３ｄ及び上キャップ４３ｃで構成されるキャップ４３は、合成樹脂の射出成形によって一体物として形成されている。また、基軸６０は、合成樹脂の射出成形によって形成されている。しかし、これらの材料及び製法は適宜変更が可能である。上述した点以外の構成は、第１実施形態の場合と同様である。なお、本実施形態においても、塗布容器２０は、付替えセット２（図６参照）とともに塗布容器セット１を構成している。
【００５３】
本実施形態においては、塗布具４０の使用及び塗布軸部材７０の付替えは、例えば次の要領で行うことができる。使用者は、図８に示すように口部３０ａに取付けられた塗布具４０を、第１実施形態の場合と同様の要領で口部３０ａから取外すことができる。そして、この取外した塗布具４０を使用する際には、上キャップ４３ｃが軸体４２の螺脱方向の回転を規制する係合部４３ｅを有していることにより、塗布軸部材７０がキャップ４３に保持された状態を安定して維持することができる。
【００５４】
塗布体４１の付替えが必要となったときには、使用者は、図１１に示すように、口部３０ａから取外した塗布具４０の上キャップ４３ｃを開き、操作軸４２ａの把持部４２ｂを把持して回転操作することで、軸体４２の逆向き螺合部４４を下キャップ４３ｂの逆向き被螺合部４５から螺脱させることができる。したがって、塗布軸部材７０を、手を内容液で汚すことなくキャップ４３から取外してそのまま廃棄することができる。
【００５５】
そして、使用者は、付替えセット２の包装体８０の逆向き螺合部収容部８２を破断予定部８３の破断によって塗布体収容部８１から除去することにより、逆向き螺合部４４を露出させ、塗布体４１を塗布体収容部８１の外部から把持してキャップ４３に取付けることができる。なお、上キャップ４３ｃは、この付替え用の塗布軸部材７０の取付けの前又は後に閉じればよい。付替え用の塗布軸部材７０の取付けの要領は上述したものに限らず、塗布体収容部８１から付替え用の塗布軸部材７０を取出し、塗布体４１を直接把持してキャップ４３に取付けてもよい。
【００５６】
次に、図１２を参照して、本発明の第３実施形態に係る塗布容器２０について詳細に例示説明する。なお、図１２において、第２実施形態で示した部分に対応する部分には第２実施形態の場合と同一の符号を付している。
【００５７】
図１２に示すように、本実施形態では、上キャップ４３ｃが下キャップ４３ｂと別の部材で構成されている。なお、上キャップ４３ｃ及び下キャップ４３ｂは、それぞれ、合成樹脂の射出成形によって形成されている。しかし、これらの材料及び製法は適宜変更が可能である。
【００５８】
本実施形態では、上キャップ４３ｃは、下キャップ４３ｂからの離脱により、下キャップ４３ｂの開口４３ｎを開閉可能な外壁４３ｇを有している。外壁４３ｇは上方に向けて徐々に縮径する有頂円筒状をなしている。外壁４３ｇの下端は、下キャップ４３ｂの上端に形成された中心軸線Ｏを中心とする円環状段部と着脱可能に係合している。外壁４３ｇの下端には、中心軸線Ｏを中心とする円環フランジ状の突出部４３ｉが設けられている。したがって、突出部４３ｉを押し上げることで、上キャップ４３ｃの外壁４３ｇの下端と下キャップ４３ｂの上端との係合を解除し、図１２に二点鎖線で示すように、上キャップ４３ｃを開くことができる。
【００５９】
本実施形態では、第２実施形態の場合とは異なり、上キャップ４３ｃは係合部４３ｅを有していない。しかし、上キャップ４３ｃは、第２実施形態の場合と同様に、一対の縦リブ４３ｆで構成された係合部４３ｅを有していてもよい。この場合、外壁４３ｇの下端と下キャップ４３ｂの上端に形成された円環状段部とが、中心軸線Ｏを中心とする相互の回転を規制するように係合する構成としてもよい。このような構成によれば、係合部４３ｅは、使用可能状態において、逆向き螺合部４４が螺脱する方向の軸体４２の回転を規制するように、操作軸４２ａの把持部４２ｂと係合することができる。
【００６０】
上述した点以外の構成は、第２実施形態の場合と同様である。本実施形態においても、第２実施形態の場合と同様の要領で、塗布具４０の使用及び塗布軸部材７０の付替えを行うことができる。
【００６１】
次に、図１３を参照して、本発明の第４実施形態に係る塗布容器２０について詳細に例示説明する。なお、図１３において、第２実施形態で示した部分に対応する部分には第２実施形態の場合と同一の符号を付している。
【００６２】
図１３に示すように、本実施形態では、上キャップ４３ｃが下キャップ４３ｂに螺合可能に構成されている。下キャップ４３ｂは、接触面４８を内周面に有する円筒状の上部壁４３ｏと、上部壁４３ｏの下端に連なるとともに上部壁４３ｏの下端から段差状に拡径した外周面を有する円筒状の下部壁４３ｐとで構成されている。下部壁４３ｐの内周面には、第１実施形態の場合と同様に被螺合部４３ａ及び逆向き被螺合部４５が配置されている。上部壁４３ｏの上端は開口４３ｎを区画している。また、上部壁４３ｏの外周面には、上キャップ４３ｃと螺合可能な螺合部４３ｌが設けられている。螺合部４３ｌの巻き方向は、口部３０ａの螺合部３０ｂの巻き方向と同じ右ねじである。螺合部４３ｌは、ねじ山で構成されている。
【００６３】
上キャップ４３ｃは、下キャップ４３ｂからの螺脱により、下キャップ４３ｂの開口４３ｎを開閉可能な外壁４３ｇを有している。外壁４３ｇは上方に向けて徐々に縮径する有頂円筒状をなしている。外壁４３ｇの内周面には、下キャップ４３ｂの螺合部４３ｌと螺合可能な被螺合部４３ｍが設けられている。被螺合部４３ｍは、ねじ山で構成されている。本実施形態では、螺合部４３ｌも被螺合部４３ｍもねじ山で構成されているが、いずれか一方を突起で構成することも可能である。また、本実施形態では、下キャップ４３ｂの上部壁４３ｏの外周面に螺合部４３ｌを設け、上キャップ４３ｃの外壁４３ｇの内周面に被螺合部４３ｍを設けているが、その逆に、下キャップ４３ｂの内周面（例えば、上部壁４３ｏの径方向外側にもう１つの円筒状の壁を設け、この壁の内周面）に螺合部４３ｌを設け、上キャップ４３ｃの外壁４３ｇの外周面に被螺合部４３ｍを設ける構成とすることも可能である。
【００６４】
本実施形態においても、第２実施形態の場合と同様に、軸体４２の基軸６０は、有底筒状をなす取付け筒６１の底部から上方に延在する操作軸４２ａを有している。操作軸４２ａは、付替え準備状態（図示省略）において開口４３ｎよりも上方に突出し、回転操作を受ける把持部４２ｂを有している。しかし、本実施形態では、操作軸４２ａは、中心軸線Ｏを中心とする円筒状をなしている。なお、操作軸４２ａは、円筒状に限らず、例えば、角筒状などの円筒状以外の筒状であってもよく、あるいは、中心軸線Ｏを中心とする円柱状、角柱状などの柱状であってもよく、所定間隔で配置された複数の板体で構成される形状であってもよく、その他の形状であってもよい。
【００６５】
上キャップ４３ｃは、外壁４３ｇの頂部から垂下するとともに操作軸４２ａと嵌合する垂下軸４３ｋを有している。垂下軸４３ｋは、中心軸線Ｏを中心とする円筒状をなしている。垂下軸４３ｋの下端には、操作軸４２ａの上端と嵌合する嵌合部４３ｊが設けられている。嵌合部４３ｊは、軸体４２の逆向き螺合部４４が下キャップ４３ｂの逆向き被螺合部４５に螺合した状態において、上キャップ４３ｃの螺脱に伴う下キャップ４３ｂに対する相対的な上キャップ４３ｃの上昇により、操作軸４２ａとの嵌合が解除されるように構成されている。操作軸４２ａの上端には、外径が下方の部分よりも縮径した円筒状の内筒４２ｃが設けられており、内筒４２ｃの外周面における上端に円環状の凸部が設けられている。垂下軸４３ｋの下端には、内径が上方の部分よりも拡径した円筒状の拡径部が設けられており、この拡径部の内周面における下端に円環状の凸部からなる嵌合部４３ｊが設けられている。嵌合部４３ｊは、内筒４２ｃの上端の凸部を弾性変形等によって上方に乗越えることで操作軸４２ａとの嵌合が解除されるようになっている。しかし、嵌合部４３ｊの形状はこれに限らず、凸部同士以外のアンダーカット形状の乗越えによって嵌合が解除される形状であってもよい。
【００６６】
上キャップ４３ｃ、下キャップ４３ｂ及び基軸６０は、それぞれ、合成樹脂の射出成形によって形成されている。しかし、これらの材料及び製法は適宜変更が可能である。上述した点以外の構成は、第２実施形態の場合と同様である。
【００６７】
本実施形態においては、塗布具４０の使用及び塗布軸部材７０の付替えは、例えば次の要領で行うことができる。使用者は、図１３に示すように口部３０ａに取付けられた塗布具４０を、第２実施形態の場合と同様の要領で口部３０ａから取外すことができる。また、このとき、上キャップ４３ｃが嵌合部４３ｊを介して下キャップ４３ｂと嵌合していることにより、上キャップ４３ｃと下キャップ４３ｂとの螺合の緩みが抑制される。そして、この取外した塗布具４０を使用する際にも、嵌合部４３ｊにより、塗布軸部材７０がキャップ４３に保持された状態を安定して維持することができる。
【００６８】
塗布体４１の付替えが必要となったときには、使用者は、口部３０ａから取外した塗布具４０の上キャップ４３ｃを下キャップ４３ｂから螺脱させ、操作軸４２ａの把持部４２ｂを把持して回転操作することで、軸体４２の逆向き螺合部４４を下キャップ４３ｂの逆向き被螺合部４５から螺脱させることができる。したがって、塗布軸部材７０を、手を内容液で汚すことなくキャップ４３から取外してそのまま廃棄することができる。
【００６９】
そして、使用者は、付替えセット２の包装体８０の逆向き螺合部収容部８２を破断予定部８３の破断によって塗布体収容部８１から除去することにより、逆向き螺合部４４を露出させ、塗布体４１を塗布体収容部８１の外部から把持してキャップ４３に取付けることができる。なお、上キャップ４３ｃは、この付替え用の塗布軸部材７０の取付けの前又は後に閉じればよい。付替え用の塗布軸部材７０の取付けの要領は上述したものに限らず、塗布体収容部８１から付替え用の塗布軸部材７０を取出し、塗布体４１を直接把持してキャップ４３に取付けてもよい。
【００７０】
前述した本実施形態は、本発明の実施形態の一例にすぎず、発明の要旨を逸脱しない範囲で種々変更可能であることはいうまでもない。
【符号の説明】
【００７１】
１  塗布容器セット
２  付替えセット
２０  塗布容器
３０  容器
３０ａ  口部
３０ｂ  螺合部
３１  容器本体
３１ａ  本体口部
３１ｂ  段部
３１ｃ  胴部
３２  扱き中栓
３２ａ  フランジ
３２ｂ  内筒
３２ｃ  扱き壁
３２ｄ  係止凸部
４０  塗布具
４１  塗布体
４２  軸体
４２ａ  操作軸
４２ｂ  把持部
４２ｃ  内筒
４３  キャップ
４３ａ  被螺合部
４３ｂ  下キャップ
４３ｃ  上キャップ
４３ｄ  ヒンジ
４３ｅ  係合部
４３ｆ  縦リブ
４３ｇ  外壁
４３ｈ  突片
４３ｉ  突出部
４３ｊ  嵌合部
４３ｋ  垂下軸
４３ｌ  螺合部
４３ｍ  被螺合部
４３ｎ  開口
４３ｏ  上部壁
４３ｐ  下部壁
４４  逆向き螺合部
４５  逆向き被螺合部
４６  乗越え凸部
４７  突条
４８  接触面
５１  先軸
６０  基軸
６１  取付け筒
６２  ロッド
６３  環状凸部
６４  基軸先端部
７０  塗布軸部材
８０  包装体
８１  塗布体収容部
８２  逆向き螺合部収容部
８３  破断予定部
Ｏ  中心軸線
Ｓ  収容空間
【図１】
2020069371.tif 000003
【図２】
2020069371.tif 000004
【図３】
2020069371.tif 000005
【図４】
2020069371.tif 000006
【図５】
2020069371.tif 000007
【図６】
2020069371.tif 000008
【図７】
2020069371.tif 000009
【図８】
2020069371.tif 000010
【図９】
2020069371.tif 000011
【図１０】
2020069371.tif 000012
【図１１】
2020069371.tif 000013
【図１２】
2020069371.tif 000014
【図１３】
2020069371.tif 000015